(57)【要約】      （修正有）【課題】ゆったりと腰掛けることができ、また肘掛けを跳ね上げた際、その跳ね上げ動作に伴って当該外支持部材も背もたれ側に同時に折りたたまれ、さらに肘掛けの高さ調整機構を備えた椅子型簡易便器の提供。【解決手段】  跳ね上げ式肘掛けを脚体の背もたれ側脚柱の側面に高さ調整可能に取付けられる垂直板３−１に、伸縮構造の二重パイプからなる支持パイプ３−２で支持し、伸縮構造の支持パイプを内パイプと外パイプが相互にスライド可能となした１本の伸縮構造のパイプで構成し、支持パイプ付け根部に設けた手動式のロック機構３−４にてロックを解除することにより内パイプがばねにて自動的に外方へスライドして肘掛け３が跳ね上げられると同時に支持パイプと肘掛けが背もたれ６に沿って略垂直に起立し、肘掛けをばねに抗して前面側へ倒して元の水平状態に戻すと支持パイプがバネにてロックされて水平状態が保持される仕組みとする。【選択図】図１
2007068575.tif 000002
【特許請求の範囲】
【請求項１】
高さ調整可能な背もたれ付き脚体に支持された座部枠体に開閉式便座を有し、前記便座には着脱式の便器を有し、前記便座の両サイド部には着脱式の跳ね上げ式肘掛けを備え、便座の上に載置する開閉式座りパットを有する椅子型簡易便器であって、前記背もたれ付き脚体は内筒と外筒とからなる二重パイプ構造となし、かつ接地部材が取付けられた内筒に外筒がスライド可能に外嵌され、外筒に取付けられた高さ調整ねじにて高さ調整可能となした４本の脚柱で構成され、該脚体に前記座部枠体が取付けられ、前記開閉式便座と開閉式座りパットがそれぞれ前記座部枠体の背面側に相重なるように着脱可能に取着された椅子型簡易便器において、前記着脱式の跳ね上げ式肘掛けが、前記脚体の背もたれ付き脚柱の側面にねじピン挿通方式の高さ調整機構により高さ調整可能に取付けられる垂直板に後端部が回動可能に枢着され、前端部は前記垂直板に伸縮構造の二重パイプからなる支持パイプを介して取着され、前記伸縮構造の支持パイプは内パイプと外パイプが相互にスライド可能となし、前記外パイプの下端部は前記垂直板に軸ピンにて回動可能に枢着され、前記内パイプの上端部は当該肘掛けの前端部に回動可能に枢着され、当該支持パイプ付け根部に設けた手動式のロック機構にてロックを解除することにより内パイプがばねにて自動的に外方へスライドして肘掛けが跳ね上げられると同時に該支持パイプと肘掛けが背もたれに沿って略垂直に起立し、該肘掛けを前記ばねに抗して前面側へ倒して元の水平状態に戻すと当該支持パイプがバネにてロックされて水平状態が保持される仕組みとなしたことを特徴とする椅子型簡易便器。
【発明の詳細な説明】
【技術分野】
【０００１】
この発明は、高齢者や足腰の弱い人、身体の不自由な人が、介護者の手助けを借りずに自力で安全にかつ容易に、しかも清潔に使用できる椅子型の簡易便器に関するものである。
【背景技術】
【０００２】
高齢者や足腰の弱い人、身体の不自由な人のために開発された椅子型の簡易便器は、各種施設や病院、一般家庭において広く普及しつつある。
この種の従来の簡易便器としては、例えば椅子型の便器本体の座面部に蝶番で取着された開閉式の便座の下にバケツ形便器（図面省略）が取付けられ、かつ便座の上側に蝶番で取着された開閉式の座りパットが設けてあり、便座の両サイドには肘掛けが取付けられたものがある。この椅子型の簡易便器は、便器使用時には座りパットを起こして背もたれに相重ね、この座りパットを背もたれにして用を足し、一方、椅子として使用する場合は、前記座りパットを倒して便座の上に相重ねるようになっているもの（特許文献１参照）や、脚体に高さ調整可能に支持された座部枠体に開閉式便座を有し、前記座部枠体には背もたれが一体に設けられ、前記便座には着脱式の便器を有し、前記便座の両サイド部には肘掛けを兼ねる一対の着脱式把手を備え、便座の上に載置する開閉式座りパットを有する椅子型簡易便器であって、前記脚体は相平行する左右一対の接地部材と該接地部材の上面に立設した垂直板とで構成され、該脚体に前記座部枠体がねじピン挿通方式の高さ調整機構により高さ調整可能に取付けられ、前記開閉式便座と開閉式座りパットはそれぞれ前記座部枠体の背面側に相重なるように着脱可能に取着され、前記肘掛けを兼ねる左右一対の着脱式把手は、それぞれ長把手部と該長把手部の端部より直角に屈曲した垂直部および該垂直部より長把手部と相平行するごとく直角に屈曲した短把手部を有する１本の部材で構成され、かつ前記座部枠体と背もたれ部の側面に高さ位置可変に着脱可能に取付けられ、それぞれ長把手部を上側に、短把手部を下側に、または短把手部を上側に、長把手部を下側にして取着できる構造となしたもの（特許文献２参照）がある。
【０００３】
さらに、脚体に高さ調整可能に支持された座部枠体に背もたれが一体に設けられ、便座の両サイド部に跳ね上げ式または着脱式の肘掛けを備え、便座の上に載置する開閉式座りパットを有する椅子型簡易便器であって、前記脚体は相平行する左右一対の接地部材と該接地部材の上面に立設した広幅の垂直板とで構成され、該脚体に前記座部枠体がねじピン挿通方式の高さ調整機構により高さ調整可能に取付けられ、前記開閉式便座と開閉式座りパットがそれぞれ前記座部枠体の背面側に相重なるように着脱可能に取着された椅子型簡易便器において、前記座部枠体は左右両側板と後面板、内側に傾斜した前面板および該前面板の下部内面に沿って上下にスライド可能に装着された湾曲板とから構成され、前記背もたれは背当て材が左右一対の支柱間に前後方向に移動可能に装着されて背もたれ深さを調整可能となし、前記開閉式便座の開閉動作力の軽減と倒れを防止するための弾性支持手段と、前記開閉式座りパットの開閉動作力を軽減するための弾性手段を備えたことを特徴とし、さらに前記弾性支持手段にはバネシリンダーを、前記弾性手段にはキックバネをそれぞれ使用し、前記バネシリンダーは開閉式便座を弾性支持するごとく前記座部枠体に取付けられ、前記キックバネは前記開閉式座りパットに一定方向の回動力を付勢するごとく該座りパットの枢着部に装着されているものがある（特許文献３）。
【０００４】
上記特許文献３に記載のものは、本発明者が先に提案したもので、座部枠体の前面部を内側に傾斜した前面板と、当該前面板の下部内面に沿って上下にスライド可能に装着された湾曲板とで構成したことにより、足をより内側に位置させることが可能となり立ち上がり易いこと、背もたれの背当て材を前後方向に移動可能に装着して背もたれ深さを調整可能となしたことにより、使用する人の背丈や体格あるいは座高に十分に対応できること、開閉式便座をバネシリンダー等の弾性支持手段にて支持する方式を採用したことにより、手の不自由な方や腕力が劣る人であってもほとんど力を要することなく容易に開閉することができる上、背もたれ側に立てた当該便座の倒れも防止することができること、開閉式座りパットにキックバネ等の弾性手段にて一定方向の回動力を付勢したことにより、手の不自由な方や腕力が劣る人であってもほとんど力を要することなく容易に開閉することができること、等の効果を奏する点で優れている。
【特許文献１】特公平５−３８６１９号公報
【特許文献２】特許第３１９９３６８号公報
【特許文献３】特願２００４−３０２１２２号
【発明の開示】
【発明が解決しようとする課題】
【０００５】
しかしながら、前記特許文献３等に記載された椅子型簡易便器の場合は、以下に記載する不都合な点がある。
すなわち、便座の両サイド部に設けられている跳ね上げ式肘掛けは、後端部が背もたれの支柱に回動可能に枢着され、前端部が座部枠体の側面板に支持部材を介して着脱可能に取着され、かつ側面板と支持部材との着脱部には手動式のロック機構を備え、跳ね上げる場合にはロックを解除して後端部の枢着部を支点に上下方向に回動させる方式となっているため、肘掛けの前端部を支持する着脱式の支持部材が便座の両サイド部のほぼ中間部に設けられることにより、当該便器を使用する際に座った場合、両足の太股部が前記肘掛けの支持部材に当り拘束された状態となり、腰掛けた状態で両足を広げる自由が得られず、特に比較的体格の大きい人の場合窮屈な思いを強いられること、またロックを解除して肘掛けを跳ね上げた際、前記支持部材を背もたれ側に折りたたまなければならず手間を要すること、さらにこの種の肘掛けはすべて固定式であり高さ調整機構を備えていないため、背丈や座高によって肘掛けの高さを変えることができない等の不都合があった。
【０００６】
本発明は、上記した技術的課題を解決するためになされたもので、肘掛けの支持部材が邪魔にならず窮屈感がなくゆったりと腰掛けることができ、また肘掛けを跳ね上げた際、その跳ね上げ動作に伴って当該外支持部材も背もたれ側に同時に折りたたまれ、さらに肘掛けの高さ調整機構を備えた椅子型簡易便器を提供しようとするものである。
【課題を解決するための手段】
【０００７】
本発明に係る椅子型簡易便器は、高さ調整可能な背もたれ付き脚体に支持された座部枠体に開閉式便座を有し、前記便座には着脱式の便器を有し、前記便座の両サイド部には着脱式の跳ね上げ式肘掛けを備え、便座の上に載置する開閉式座りパットを有する椅子型簡易便器であって、前記背もたれ付き脚体は内筒と外筒とからなる二重パイプ構造となし、かつ接地部材が取付けられた内筒に外筒がスライド可能に外嵌され、外筒に取付けられた高さ調整ねじにて高さ調整可能となした４本の脚柱で構成され、該脚体に前記座部枠体が取付けられ、前記開閉式便座と開閉式座りパットがそれぞれ前記座部枠体の背面側に相重なるように着脱可能に取着された椅子型簡易便器において、前記着脱式の跳ね上げ式肘掛けは、前記脚体の背もたれ付き脚柱の側面にねじピン挿通方式の高さ調整機構により高さ調整可能に取付けられる垂直板に後端部が回動可能に枢着され、前端部は前記垂直板に伸縮構造の二重パイプからなる支持パイプを介して取着され、前記伸縮構造の支持パイプは内パイプと外パイプが相互にスライド可能となし、前記外パイプの下端部は前記垂直板に軸ピンにて回動可能に枢着され、当該支持パイプ付け根部に設けた手動式のロック機構にてロックを解除することにより内パイプがばねにて自動的に外方へスライドして肘掛けが跳ね上げられると同時に該支持パイプと肘掛けが背もたれに沿って略垂直に起立し、該肘掛けを前記ばねに抗して前面側へ倒して元の水平状態に戻すと当該支持パイプがバネにてロックされて水平状態が保持される仕組みとなしたことを特徴とするものである。
【発明の効果】
【０００８】
本発明の椅子型簡易便器は、便座の両サイド部に設ける跳ね上げ式肘掛けを、脚体の背もたれ付き脚柱にねじピン挿通方式の高さ調整機構により高さ調整可能に取付けられる垂直板と、内パイプと外パイプが相互にスライド可能となした伸縮構造の二重パイプからなる支持パイプと、後端部が前記垂直板に回動可能に枢着され、前端部が前記支持パイプを介して前記垂直板に支持された肘掛けとから構成され、前記支持パイプ付け根部に設けた手動式のロック機構にて当該支持パイプを伸縮させる方式としたことにより、当該椅子型簡易便器使用時は、前記支持パイプが背もたれ付き脚柱と肘掛けとの間に傾斜した状態となることにより、当該支持パイプが邪魔にならず窮屈感がなくゆったりと座ることができ、また、前記手動式のロック機構にてロックを解除することにより内パイプがばねにて自動的に外方へスライドして肘掛けが跳ね上げられると同時に該支持パイプと肘掛けが背もたれに沿って略垂直に起立することにより、その都度支持パイプを背もたれ側に折りたたむ必要がなくなり、かつ肘掛けを前面側へ倒して元の水平状態に戻すと当該支持パイプがバネにて自動的にロックされて水平状態が保持され、しかもこれらの動作は座面に座ったままで行うことができ、さらに前記高さ調整機構により背丈によって肘掛けの高さを自由に変えることができる等の優れた効果を有し、極めて実用性に富むものである。
【発明を実施するための最良の形態】
【０００９】
図１はこの発明に係る椅子型簡易便器の構造例を示す斜視図、図２は同上簡易便器の脚体の高さ調整機構を示す要部拡大縦断面図、図３は同上簡易便器の跳ね上げ式肘掛けを一部破断して示す拡大側面図、図４は同上簡易便器の使用状態における縦断側面図、図５は同上簡易便器の使用状態を示す斜視図であり、１は脚体、２は座部枠体、３は跳ね上げ式肘掛け、４は開閉式便座、５は開閉式座りパット、６は背もたれ、７はバケツ形便容器である。
【００１０】
すなわち、この発明に係る椅子型簡易便器は、４本の高さ調整機構付き脚柱１−１と前面側と背面側の左右の脚柱１−１間に横設した連結板１−２ａ、１−２ｂおよび左右側面の脚柱１−１間に横設した連結部材１−３とからなる脚体１、この脚体１に取付けられて高さ調整可能となす、前面板２−１および左右両側面板２−２で構成された矩形の枠体からなる座部枠体２、背面側の左右一対の長尺の脚柱１−１間に横設された背もたれ６とで構成された便器本体と、前記座部枠体２に後端部を回動可能に取付けられた開閉式便座４、この開閉式便座４の上に載置する開閉式座りパット５、背面側の左右一対の脚柱１−１に高さ調整可能に取付けられた跳ね上げ式肘掛け３とで構成したもので、座部枠体２を支持する高さ調整機構付き脚体１は、図２に拡大して示すごとく４本の脚柱１−１がそれぞれ内筒１−１ａと外筒１−１ｂとからなる二重パイプ構造となし、かつ接地部材１−１ｃが取付けられた内筒１−１ａに外筒１−１ｂが上下にスライド可能に外嵌され、外筒１−１ｂの下部に外嵌固着された高さ調整用筒体１−１ｄに螺着された高さ調整ねじ１−１ｅにて外筒１−１ｂを所定の高さ位置に固定できるようになっており、かつ前面側と背面側の左右の脚柱１−１間に横設した連結板１−２ａ、１−２ｂと左右側面の脚柱１−１間に横設した連結部材１−３によって矩形の脚体１を構成している。なお、脚体１の各接地部材１−１ｃにはゴム製のキャップ形接地部材、あるいは制動機構付キャスター等を取付けてもよい。
【００１１】
座部枠体２は、前面板２−１および左右両側面板２−２で構成された矩形の枠体からなり、前面板２−１は内側に傾斜してその両端部が前記脚体１の前面側の連結板１−２ａに取着され、左右両側面板２−２はそれぞれ左右側面の脚柱１−１間に横設した連結部材１−３と４本の高さ調整機構付き脚柱１−１に取着されている。
【００１２】
跳ね上げ式肘掛け３は、脚体１の背面側の左右一対の脚柱１−１にねじピン挿通方式の高さ調整機構により高さ調整可能に取付けられる垂直板３−１と、内パイプと外パイプが相互にスライド可能となした伸縮構造の二重パイプからなる支持パイプ３−２と、後端部が前記垂直板３−１に回動可能に枢着され、前端部が前記支持パイプ３−２を介して前記垂直板３−１に支持された構成となし、さらに前記支持パイプ３−２の付け根部に手動式のロック機構３−４が設けられた構成となしたもので、その構造をより具体的に説明すると、本発明の跳ね上げ式肘掛け３は、肘掛け３の後端部（付け根部）が垂直板３−１の上端部に軸ピン３−５にて上下方向に回動可能に枢着され、かつ該肘掛け３の前端側に設けたジョイント３−６に軸ピン３−７にて上下方向に回動可能に枢着された伸縮構造の支持パイプ３−２が垂直板３−１の下端部に軸ピン３−８にて上下方向に回動可能に枢着されて水平に支持される仕組みとなしたもので、前記伸縮構造の支持パイプ３−２は、内パイプ３−２ａと外パイプ３−２ｂが相互にスライド可能となし、その内パイプ３−２ａの上端部が肘掛け３−３の前端側に設けたジョイント３−６に軸ピン３−７にて上下方向に回動可能に枢着され、外パイプの下端部が垂直板３−１の下端部に軸ピン３−８にて上下方向に回動可能に枢着されている。３−９は内パイプ３−２ａにスライド可能に外嵌されて外パイプの上端部に取付けられたキャップである（図３）。
【００１３】
この伸縮構造の支持パイプ３−２の付け根部に設けられた手動式のロック機構３−４は、当該支持パイプ３−２の外パイプ３−２ｂの下端部の軸ピン３−８と内パイプ３−２ａの下端部間に内装した内パイプ押圧ばね３−４ａと、内パイプ３−２ａの下端部に内装した板ばね３−４ｂと、内パイプ３−２ａおよび外パイプ３−２ｂに穿設したロック孔に嵌入するごとく当該板ばね３−４ｂに取付けられたロックピン３−４ｃ、垂直板３−１の下端部に取付けられたロック解除レバー３−４ｄとからなり、前記板ばね３−４ｂに取付けられたロックピン３−４ｃが内パイプ３−２ａおよび外パイプ３−２ｂを貫通位置した状態の時肘掛け３が水平に支持され、ロック解除レバー３−４ｄにてロックピン３−４ｃを押圧して当該ロックピン３−４ｃを外パイプ３−２ｂより内方に没すると内パイプ３−２ａと外パイプ３−２ｂのロックが解除されて、押圧ばね３−４ａにて常時上方の押圧力を付与されている内パイプ３−２ａが外パイプ３−２ｂ内を外方へスライドして伸びて肘掛け３が後端部の軸ピン３−５を支点に上方へ回動して跳ね上げられ、他方、肘掛け３を前記押圧ばね３−４ａに抗して前面側へ倒すと前記ロックピン３−４ｃが外パイプ３−２ｂのロック孔に嵌入することにより内パイプ３−２ａと外パイプ３−２ｂがロックされて水平状態が保持される仕組みとなしている。
【００１４】
この跳ね上げ式肘掛け３は、その垂直板３−１を脚体１の背面側の左右一対の脚柱１−１の側面に高さ調整可能に取付けられる。その高さ調整機構は、脚体１の背面側の左右一対の脚柱１−１の側面に上下方向に所定の間隔を隔てて２個の縦長の長孔１−１ｇ、１−１ｈを設け、上側の長孔１−１ｇに当該跳ね上げ式肘掛け３の付け根部の軸ピン３−５を、下側の長孔１−１ｈに止めねじ３−１０を、それぞれ螺着して跳ね上げ式肘掛け３の高さを長孔１−１ｇ、１−１ｈのストローク分調整可能となしている。
【００１５】
なお、開閉式便座４は、当該便座の背もたれ側底面に横設した１本のロッド４−１の両端部を、座部枠体１の左右両側面板２−２の背もたれ側内面に回動可能に取付けて該ロッド４−１を支点に開閉自在となし、脚体１の背面側の左右の脚柱１−１間に横設した連結板１−２ｂの内壁にブラケット４−３を介して取付けたバネシリンダー４−２により当該便座を弾性支持した構成となしている。この開閉式便座４は、不使用時には脚体１の背面側に縦向きに支持されると共に前記バネシリンダー４−２により背もたれ側に軽く押圧されて倒れることがなく、使用時には当該便座に対して座面側に軽く力を付与するだけでバネシリンダー４−２の作用により座部枠体２の前面板２−１の上面に載置され、当該便座を開く時（背面側に起こす時）には当該便座に対して背面側に軽く力を付与するだけでバネシリンダー４−２の作用により背面側に回動して縦向きに支持されるようになっている。この開閉式便座４にはその開口４−４の下方にバケツ形便容器７が吊架方式（図面省略）などにより着脱可能に取付けられるようになっている。
【００１６】
また、この開閉式便座４の上に載置する開閉式座りパット５は、二つ折構造のパットの付け根部を脚体１の背面側の脚柱１−１にＬ形のブラケット５−１を介して回動可能に枢着され、かつ前記枢着部に装着したキックバネ（図面省略）により一定方向の回動力が付勢されて当該座りパットの開閉動作力が軽減される構造となったものを用いることができる。この開閉式座りパット５の場合は、使用時には当該座りパットに対して座面側に軽く力を付与するだけでキックバネの作用により前記開閉式便座の上に相重なり、当該座りパットを開く時（脚体背面側に起こす時）には当該座りパット５に対して背面側に軽く力を付与するだけでキックバネの作用により背もたれ側に回動して二つに折り畳まれて縦向きに支持される。
【００１７】
さらに、背もたれ６は、脚体１の背面側の左右一対の脚柱１−１間に横設されている。その場合、背もたれ深さを調整できるように背もたれを脚柱１−１に取付けると、座面に座る時に使用する人の背丈や体格あるいは座高に対応できる。
【００１８】
上記構造の椅子型簡易便器において、便器として使用する場合は、例えば図５に示すごとく、跳ね上げ式肘掛け３をロックした状態にして、座部枠体２の上に載置した開閉式便座４の上の二つ折り開閉式座りパット５を図示のごとく背もたれ６側に縦向きに支持させておく。また、この椅子型簡易便器を椅子として用いる場合は、前記座りパット５を倒して開閉式便座４の上に相重ねる。いずれの場合も、上記構造の椅子型簡易便器は、跳ね上げ式肘掛け３の伸縮構造の支持パイプ３−２が背もたれ付き脚柱１−１と肘掛け３との間に傾斜した状態となることにより、当該支持パイプ３−２が邪魔にならず窮屈感がなくゆったりと座ることができる。さらに、座ったままで前記手動式のロック機構にてロックを解除することにより自動的に肘掛け３が跳ね上げられると同時に該支持パイプ３−２と肘掛け３が背もたれ側の脚柱１−１に沿って略垂直に起立することにより、その都度支持パイプを背もたれ側に折りたたむ必要がなくなり、かつ肘掛け３を前面側へ倒して元の水平状態に戻すと当該支持パイプ３−２が再び自動的にロックされて水平状態が保持される。
【産業上の利用可能性】
【００１９】
本発明の椅子型簡易便器は、使用する人の身長や体格、あるいは腕力などに対応できるのみならず、高齢者や足腰の弱い人、身体の不自由な人でも介護者の手助けを借りずに自力で安全にかつ容易に、しかも清潔に使用することができる。
【図面の簡単な説明】
【００２０】
【図１】この発明に係る椅子型簡易便器の構造例を示す斜視図である。
【図２】同上簡易便器の脚体の高さ調整機構を示す要部拡大縦断面図である。
【図３】同上簡易便器の跳ね上げ式肘掛けを一部破断して示す拡大側面図である。
【図４】同上簡易便器の使用状態における縦断側面図である。
【図５】同上簡易便器の使用状態を示す斜視図である。
【符号の説明】
【００２１】
１  脚体
２  座部枠体
３  跳ね上げ式肘掛け
３−１  垂直板
３−２  支持パイプ
３−４  ロック機構  
３−５、３−７、３−８  軸ピン
３−６  ジョイント
３−９  キャップ
３−１０  止めねじ
４  開閉式便座
５  開閉式座りパット
６  背もたれ
７  バケツ形便容器
【図１】
2007068575.tif 000003
【図２】
2007068575.tif 000004
【図３】
2007068575.tif 000005
【図４】
2007068575.tif 000006
【図５】
2007068575.tif 000007
【手続補正書】
【提出日】平成17年11月11日(2005.11.11)
【手続補正１】
【補正対象書類名】図面
【補正対象項目名】全図
【補正方法】変更
【補正の内容】
【図１】
2007068575.tif 000008
【図２】
2007068575.tif 000009
【図３】
2007068575.tif 000010
【図４】
2007068575.tif 000011
【図５】
2007068575.tif 000012